(57)【要約】  本発明はスクリーンオフ表示方法及び装置に関し、情報処理分野に属する。該方法は、スクリーンオフ表示機能によって表示する必要のある情報内容のフォーマット情報、及びスクリーンオフ表示に必要とする内容要素を取得することと、スクリーンがオフになった時にＡＰより取得したシステム時間を意味している基準時間を取得することと、基準時間に基づいて、フォーマット情報、及びスクリーンオフ表示に必要とする内容要素に従い、スクリーンオフ表示機能によって情報内容を表示することとを含む。本発明の実施例において、スクリーンオフ表示機能によって表示する必要のある情報内容のフォーマット情報、及びスクリーンオフ表示に必要とする内容要素を取得することができ、スクリーンがオフになった時にＡＰより確定された基準時間を取得し、これによって、スクリーンがオフになった後に、取得された基準時間、フォーマット情報、及びスクリーンオフ表示に必要とする内容要素に基づいて、直接に表示することができ、現在の正確な時間を取得するために、１分おきにＡＰをウェイクアップさせる必要がなくなり、１分おきに取得された時間に基づいて描画させる必要もなく、消費電力を省くことができる。【選択図】図１
2019522249.tif 000002
【特許請求の範囲】
【請求項１】
スクリーンオフ表示方法であって、
スクリーンオフ表示機能によって表示する必要のある情報内容のフォーマット情報、及びスクリーンオフ表示に必要とする内容要素を取得することと、
スクリーンがオフになった時にアプリケーションプロセッサＡＰより取得したシステム時間を意味している基準時間を取得することと、
前記基準時間に基づいて、前記フォーマット情報、及び前記スクリーンオフ表示に必要とする内容要素に従い、前記スクリーンオフ表示機能によって情報内容を表示することと、
を含むことを特徴とする前記スクリーンオフ表示方法。
【請求項２】
前記基準時間に基づいて、前記フォーマット情報、及び前記スクリーンオフ表示に必要とする内容要素に従い、前記スクリーンオフ表示機能によって情報内容を表示することは、
前記基準時間を取得してから計時を開始し、前記基準時間を取得してから経過した時間の長さを示すための時間経過値を得ることと、
現在時刻に、前記スクリーンオフ表示機能によってシステム時間を表示する必要のある時に、前記基準時間を、前記現在時刻に計時して得られる時間経過値と加算し、前記現在時刻のシステム時間を得ることと、
前記フォーマット情報、及び前記スクリーンオフ表示に必要とする内容要素に従い、前記スクリーンオフ表示機能によって前記現在時刻のシステム時間を表示することと、
を含むことを特徴とする請求項１に記載のスクリーンオフ表示方法。
【請求項３】
前記フォーマット情報、及び前記スクリーンオフ表示に必要とする内容要素に従い、前記スクリーンオフ表示機能によって前記現在時刻のシステム時間を表示することは、
前記スクリーンオフ表示に必要とする内容要素から、前記現在時刻のシステム時間に対応される内容要素を取得することと、
取得された内容要素を前記フォーマット情報に従って表示することと、
を含むことを特徴とする請求項２に記載のスクリーンオフ表示方法。
【請求項４】
前記基準時間を取得した後に、
事前に設定されている時間間隔毎に、一回に前記ＡＰより取得されたシステム時間を取得することと、
取得されたシステム時間に基づいて、前記基準時間を更新し、改めて前記基準時間の更新時刻から計時を開始することと、
を含むことを特徴とする請求項２又は３に記載のスクリーンオフ表示方法。
【請求項５】
前記基準時間に基づいて、前記フォーマット情報、及び前記スクリーンオフ表示に必要とする内容要素に従い、前記スクリーンオフ表示機能によって情報内容を表示することは、
新しい情報を受信したことを知らせるための通知メッセージを受信した時に、前記通知メッセージの属されているメッセージタイプを確定することと、
前記スクリーンオフ表示に必要とする内容要素から、前記通知メッセージの属されているメッセージタイプに対応される内容要素を取得することと、
前記基準時間に基づいて、前記フォーマット情報、及び取得された内容要素に従い、前記スクリーンオフ表示機能によって前記通知メッセージを表示することと、
を含むことを特徴とする請求項１に記載のスクリーンオフ表示方法。
【請求項６】
前記基準時間に基づいて、前記フォーマット情報、及び取得された内容要素に従い、前記スクリーンオフ表示機能によって前記通知メッセージを表示することは、
前記基準時間に基づいて、前記通知メッセージの受信時間を確定することと、
前記フォーマット情報、及び取得された内容要素に従い、前記スクリーンオフ表示機能によって前記通知メッセージのメッセージ内容、及び前記通知メッセージの受信時間を表示することと、
を含むことを特徴とする請求項５に記載のスクリーンオフ表示方法。
【請求項７】
スクリーンオフ表示装置であって、
スクリーンオフ表示機能によって表示する必要のある情報内容のフォーマット情報、及びスクリーンオフ表示に必要とする内容要素を取得するように構成される第１取得モジュールと、
スクリーンがオフになった時にアプリケーションプロセッサＡＰより取得したシステム時間を意味している基準時間を取得するように構成される第２取得モジュールと、
前記基準時間に基づいて、前記フォーマット情報、及び前記スクリーンオフ表示に必要とする内容要素に従い、前記スクリーンオフ表示機能によって情報内容を表示するように構成される表示モジュールと、
を含むことを特徴とする前記スクリーンオフ表示装置。
【請求項８】
前記表示モジュールは、
前記基準時間を取得してから計時を開始し、前記基準時間を取得してから経過した時間の長さを示すための時間経過値を得るように構成される計時サブモジュールと、
現在時刻に、前記スクリーンオフ表示機能によってシステム時間を表示する必要のある時に、前記基準時間を、前記現在時刻に計時して得られる時間経過値と加算し、前記現在時刻のシステム時間を得るように構成される計算サブモジュールと、
前記フォーマット情報、及び前記スクリーンオフ表示に必要とする内容要素に従い、前記スクリーンオフ表示機能によって前記現在時刻のシステム時間を表示するように構成される第１表示サブモジュールと、
を含むことを特徴とする請求項７に記載のスクリーンオフ表示装置。
【請求項９】
第１表示サブモジュールは、
前記スクリーンオフ表示に必要とする内容要素から、前記現在時刻のシステム時間に対応される内容要素を取得し、
取得された内容要素を前記フォーマット情報に従って表示する、
ように構成されることを特徴とする請求項８に記載のスクリーンオフ表示装置。
【請求項１０】
前記スクリーンオフ表示装置は、さらに、
事前に設定されている時間間隔毎に、一回に前記ＡＰより取得されたシステム時間を取得するように構成される第３取得モジュールと、
取得されたシステム時間に基づいて、前記基準時間を更新し、改めて前記基準時間の更新時刻から計時を開始するように構成される更新モジュールと、
ことを含むことを特徴とする請求項８又は９に記載のスクリーンオフ表示装置。
【請求項１１】
前記表示モジュールは、
新しい情報を受信したことを知らせるための通知メッセージを受信した時に、前記通知メッセージの属されているメッセージタイプを確定するように構成される確定サブモジュールと、
前記スクリーンオフ表示に必要とする内容要素から、前記通知メッセージの属されているメッセージタイプに対応される内容要素を取得するように構成される取得サブモジュールと、
前記基準時間に基づいて、前記フォーマット情報、及び取得された内容要素に従い、前記スクリーンオフ表示機能によって前記通知メッセージを表示するように構成される第２表示サブモジュールと、
を含むことを特徴とする請求項７に記載のスクリーンオフ表示装置。
【請求項１２】
前記第２表示サブモジュールは、
前記基準時間に基づいて、前記通知メッセージの受信時間を確定し、
前記フォーマット情報、及び取得された内容要素に従い、前記スクリーンオフ表示機能によって前記通知メッセージのメッセージ内容、及び前記通知メッセージの受信時間を表示する、
ように構成されることを特徴とする請求項１１に記載のスクリーンオフ表示装置。
【請求項１３】
スクリーンオフ表示装置であって、
請求項１〜６のいずれか１項に記載の方法のステップを実行するように構成されるプロセッサと、
プロセッサで実行可能な命令を記憶するための記憶装置と、
を含むことを特徴とする前記スクリーンオフ表示装置。
【請求項１４】
コンピュータ読み取り可能な記憶媒体であって、
前記コンピュータ読み取り可能な記憶媒体に、プロセッサによって実行される時に、請求項１〜６のいずれか１項に記載の方法のステップを実現する命令が記憶されている前記コンピュータ読み取り可能な記憶媒体。
【発明の詳細な説明】
【技術分野】
【０００１】
本発明は情報処理分野に関し、特にスクリーンオフ表示方法及び装置に関する。
【背景技術】
【０００２】
スマートフォン、タブレット等のようなスマート端末の大きく広まりに伴い、ユーザはますますスマート端末に依存することになった。統計によれば、ユーザは毎日約１５０回にスクリーンを点灯することを通してスマートフォンを確認しており、その中大分のユーザは、単に時間と通知メッセージだけを確認するために、スマートフォンを確認する。したがって、ユーザが便利に時間と通知メッセージを取得するために、スクリーンオフ表示方法が現れた。
【０００３】
従来技術において、スマート端末は時間と通知メッセージを表示させるために、スクリーンの一部だけにおいて常時点灯を保持することが可能である。ここで、スマート端末は、１分おきにアプリケーションプロセッサ（ＡＰ：Ａｐｐｌｉｃａｔｉｏｎ  Ｐｒｏｃｅｓｓｏｒ）を通して現在の正確な時間を取得することができ、取得された時間及び事前に設定されている表示フォーマットに基づいて描画し、現在の表示画面が得られ、さらに得られた現在表示画面に基づいて表示する。
【発明の概要】
【発明が解決しようとする課題】
【０００４】
先行技術のスクリーンオフ表示における消費電力の大きい問題を克服するために、本発明はスクリーンオフ表示方法及び装置を提供する。
【課題を解決するための手段】
【０００５】
本発明の実施例の第１態様に基づいて、スクリーンオフ表示方法を提供し、前記方法は、
スクリーンオフ表示機能によって表示する必要のある情報内容のフォーマット情報、及びスクリーンオフ表示に必要とする内容要素を取得することと、
スクリーンがオフになった時にアプリケーションプロセッサＡＰより取得したシステム時間を意味している基準時間を取得することと、
前記基準時間に基づいて、前記フォーマット情報、及び前記スクリーンオフ表示に必要とする内容要素に従い、前記スクリーンオフ表示機能によって情報内容を表示することと、
を含む。
【０００６】
選択肢として、前記基準時間に基づいて、前記フォーマット情報、及び前記スクリーンオフ表示に必要とする内容要素に従い、前記スクリーンオフ表示機能によって情報内容を表示することは、
前記基準時間を取得してから計時を開始し、前記基準時間を取得してから経過した時間の長さを示すための時間経過値を得ることと、
現在時刻に、前記スクリーンオフ表示機能によってシステム時間を表示する必要のある時に、前記基準時間を、前記現在時刻に計時して得られる時間経過値と加算し、前記現在時刻のシステム時間を得ることと、
前記フォーマット情報、及び前記スクリーンオフ表示に必要とする内容要素に従い、前記スクリーンオフ表示機能によって前記現在時刻のシステム時間を表示することと、
を含む。
【０００７】
選択肢として、前記フォーマット情報、及び前記スクリーンオフ表示に必要とする内容要素に従い、前記スクリーンオフ表示機能によって前記現在時刻のシステム時間を表示することは、
前記スクリーンオフ表示に必要とする内容要素から、前記現在時刻のシステム時間に対応される内容要素を取得することと、
取得された内容要素を前記フォーマット情報に従って表示することと、
を含む。
【０００８】
選択肢として、前記基準時間を取得した後に、
事前に設定されている時間間隔毎に、一回に前記ＡＰより取得されたシステム時間を取得することと、
取得されたシステム時間に基づいて、前記基準時間を更新し、改めて前記基準時間の更新時刻から計時を開始することと、
をさらに含む。
【０００９】
選択肢として、前記基準時間に基づいて、前記フォーマット情報、及び前記スクリーンオフ表示に必要とする内容要素に従い、前記スクリーンオフ表示機能によって情報内容を表示することは、
新しい情報を受信したことを知らせるための通知メッセージを受信した時に、前記通知メッセージの属されているメッセージタイプを確定することと、
前記スクリーンオフ表示に必要とする内容要素から、前記通知メッセージの属されているメッセージタイプに対応される内容要素を取得することと、
前記基準時間に基づいて、前記フォーマット情報、及び取得された内容要素に従い、前記スクリーンオフ表示機能によって前記通知メッセージを表示することと、
を含む。
【００１０】
選択肢として、前記基準時間に基づいて、前記フォーマット情報、及び取得された内容要素に従い、前記スクリーンオフ表示機能によって前記通知メッセージを表示することは、
前記基準時間に基づいて、前記通知メッセージの受信時間を確定することと、
前記フォーマット情報、及び取得された内容要素に従い、前記スクリーンオフ表示機能によって前記通知メッセージのメッセージ内容、及び前記通知メッセージの受信時間を表示することと、
を含む。
【００１１】
本発明の実施例の第２態様に基づいて、スクリーンオフ表示装置を提供し、前記装置は、
スクリーンオフ表示機能によって表示する必要のある情報内容のフォーマット情報、及びスクリーンオフ表示に必要とする内容要素を取得するための第１取得モジュールと、
スクリーンがオフになった時にアプリケーションプロセッサＡＰより取得したシステム時間を意味している基準時間を取得するための第２取得モジュールと、
前記基準時間に基づいて、前記フォーマット情報、及び前記スクリーンオフ表示に必要とする内容要素に従い、前記スクリーンオフ表示機能によって情報内容を表示するための表示モジュールと、
を含む。
【００１２】
選択肢として、前記表示モジュールは、
前記基準時間を取得してから計時を開始し、前記基準時間を取得してから経過した時間の長さを示すための時間経過値を得るための計時サブモジュールと、
現在時刻に、前記スクリーンオフ表示機能によってシステム時間を表示する必要のある時に、前記基準時間を、前記現在時刻に計時して得られる時間経過値と加算し、前記現在時刻のシステム時間を得るための計算サブモジュールと、
前記フォーマット情報、及び前記スクリーンオフ表示に必要とする内容要素に従い、前記スクリーンオフ表示機能によって前記現在時刻のシステム時間を表示するように構成される第１表示サブモジュールと、
を含む。
【００１３】
選択肢として、第１表示サブモジュールは、
前記スクリーンオフ表示に必要とする内容要素から、前記現在時刻のシステム時間に対応される内容要素を取得し、
取得された内容要素を前記フォーマット情報に従って表示する、
ように用いられる。
【００１４】
選択肢として、前記装置はさらに、
事前に設定されている時間間隔毎に、一回に前記ＡＰより取得されたシステム時間を取得するための第３取得モジュールと、
取得されたシステム時間に基づいて、前記基準時間を更新し、改めて前記基準時間の更新時刻から計時を開始するための更新モジュールと、
ことを含む。
【００１５】
選択肢として、前記表示モジュールは、
新しい情報を受信したことを知らせるための通知メッセージを受信した時に、前記通知メッセージの属されているメッセージタイプを確定するための確定サブモジュールと、
前記スクリーンオフ表示に必要とする内容要素から、前記通知メッセージの属されているメッセージタイプに対応される内容要素を取得するための取得サブモジュールと、
前記基準時間に基づいて、前記フォーマット情報、及び取得された内容要素に従い、前記スクリーンオフ表示機能によって前記通知メッセージを表示するための第２表示サブモジュールと、
を含む。
【００１６】
選択肢として、前記第２表示サブモジュールは、
前記基準時間に基づいて、前記通知メッセージの受信時間を確定し、
前記フォーマット情報、及び取得された内容要素に従い、前記スクリーンオフ表示機能によって前記通知メッセージのメッセージ内容、及び前記通知メッセージの受信時間を表示する、
ように用いられる。
【００１７】
本発明の実施例の第３態様に基づいて、スクリーンオフ表示装置を提供し、前記装置は、
上記の第１態様の中のいずれか一つの方法のステップを実行するように構成されるプロセッサと、
プロセッサで実行可能な命令を記憶するための記憶装置と、
を含む。
【００１８】
本発明の実施例の第４態様に基づいて、コンピュータの読み取り可能な記憶媒体を提供し、プロセッサによって実行される時に、上記第１態様に記載されているいずれか一つの方法のステップを実現するための命令が記憶されている。
【発明の効果】
【００１９】
本発明の実施例に提供されている技術案は下記のような効果がある。本発明の実施例において、スクリーンオフ表示機能によって表示する必要のある情報内容のフォーマット情報、及びスクリーンオフ表示に必要とする内容要素を取得することができ、スクリーンがオフになった時にアプリケーションプロセッサＡＰより確定された基準時間を取得する。これによって、スクリーンがオフになった後に、取得された基準時間、フォーマット情報、及びスクリーンオフ表示に必要とする内容要素に基づいて、直接に表示することができ、現在の正確な時間を取得するために、１分おきにＡＰをウェイクアップさせる必要がなくなり、１分おきに取得された時間に基づいて一回に描画させる必要もなく、消費電力を省く目的を果たす。
【００２０】
上記の一般的な説明と後述の詳細説明は、単なる例示的な、説明するためのものであると理解すべきであり、本発明の開示を制限することができない。
【図面の簡単な説明】
【００２１】
【図１】例示的な実施例によって示されているスクリーンオフ表示方法のフローチャートである。
【図２】例示的な実施例によって示されているスクリーンオフ表示方法のフローチャートである。
【図３】例示的な実施例によって示されているスクリーンオフ表示方法のフローチャートである。
【図４Ａ】例示的な実施例によって示されているスクリーンオフ表示装置のブロック図である。
【図４Ｂ】例示的な実施例によって示されている表示モジュールのブロック図である。
【図４Ｃ】例示的な実施例によって示されているもう一つのスクリーンオフ表示装置のブロック図である。
【図４Ｄ】例示的な実施例によって示されているもう一つの表示モジュールのブロック図である。
【図５】例示的な実施例によって示されているスクリーンオフ表示装置のブロック図である。
【発明を実施するための形態】
【００２２】
上記の図面は明細書の一部として明細書に組み込まれ、本発明の実施例を示し、明細書と共に本発明の原理を解釈することに用いられる。
【００２３】
本発明の目的、技術案と利点をより明確にさせるために、下記において、図面を結合して本発明の実施形態をさらに詳しく説明する。
【００２４】
本発明の実施例を詳しく説明する前に、本発明の実施例の応用場面をまず紹介する。現在、スマートフォン、タブレットなどのようなスマート端末は日常生活に広く応用されている。ユーザは、スマート端末を介して様々な情報を取得することができ、ユーザがスマート端末を使用していない時に、指定されているキー操作でスマート端末のスクリーンをオフにすることができる。スマート端末のスクリーンがオフの状態にある場合、ユーザはスマート端末を通して現在時間を取得しようとする可能性がある。又は、スマート端末のスクリーンがオフの状態にある場合、スマート端末が通知メッセージを受信し、ユーザは該通知メッセージを確認しようとする可能性がある。本発明の実施例に提供されているスクリーンオフ表示方法は、上記の場面に適用することが可能であり、スマート端末のスクリーンがオフの状態にある場合、ユーザが随時に確認するために、スマート端末は、本発明の実施例により提供されているスクリーンオフ表示方法を用いて、スクリーンの一部において常時点灯を保持することによって時間と通知メッセージを表示する。
【００２５】
先行技術において、スクリーンオフ表示を行う時に、現在の正確な時間を取得するために、スマート端末が１分おきにＡＰをウェイクアップさせる必要があり、しかも取得された時間及び事前に設定されている表示フォーマットに基づいてリアルタイム的に描画する必要があるため、スマート端末のスクリーンオフ表示を行う消費電力が高い。
【００２６】
上記の技術課題を解決するために、本発明の実施例は、スクリーンオフ表示方法を提供し、これから下記の実施例を通して、図面を結合して該スクリーンオフ表示方法を詳しく説明する。
【００２７】
図１は例示的な実施例によって示されているスクリーンオフ表示方法のフローチャートであり、図１に示すように、該スクリーンオフ表示の方法はスマート端末に用いられ、下記のステップ１０１〜１０３を含む。
【００２８】
ステップ１０１において、スクリーンオフ表示機能によって表示する必要のある情報内容のフォーマット情報、及びスクリーンオフ表示に必要とする内容要素を取得する。
【００２９】
ステップ１０２において、基準時間を取得する。該基準時間はスクリーンがオフになった時にＡＰより取得したシステム時間を指す。
【００３０】
ステップ１０３において、基準時間に基づいて、フォーマット情報、及びスクリーンオフ表示に必要とする内容要素に従い、スクリーンオフ表示機能によって情報内容を表示する。
【００３１】
選択肢として、該基準時間に基づいて、フォーマット情報、及びスクリーンオフ表示に必要とする内容要素に従い、スクリーンオフ表示機能によって情報内容を表示することは、
基準時間を取得してから計時を開始し、基準時間を取得してから経過した時間の長さを示すための時間経過値を得ることと、
現在時刻に、スクリーンオフ表示機能によってシステム時間を表示する必要のある時に、基準時間を、現在時刻に計時して得られる時間経過値と加算し、現在時刻のシステム時間を得ることと、
フォーマット情報、及びスクリーンオフ表示に必要とする内容要素に従い、スクリーンオフ表示機能によって現在時刻のシステム時間を表示することと、
を含む。
【００３２】
選択肢として、フォーマット情報、及びスクリーンオフ表示に必要とする内容要素に従い、スクリーンオフ表示機能によって現在時刻のシステム時間を表示することは、
スクリーンオフ表示に必要とする内容要素から、現在時刻のシステム時間に対応される内容要素を取得することと、
取得された内容要素をフォーマット情報に従って表示することと、
を含む。
【００３３】
選択肢として、基準時間を取得した後に、
事前に設定されている時間間隔毎に、一回にＡＰより取得されたシステム時間を取得することと、
取得されたシステム時間に基づいて、基準時間を更新し、改めて基準時間の更新時刻から計時を開始することと、
を含む。
【００３４】
選択肢として、基準時間に基づいて、フォーマット情報、及びスクリーンオフ表示に必要とする内容要素に従い、スクリーンオフ表示機能によって情報内容を表示することは、
新しい情報を受信したことを知らせるための通知メッセージを受信した時に、通知メッセージの属されているメッセージタイプを確定することと、
スクリーンオフ表示に必要とする内容要素から、通知メッセージの属されているメッセージタイプに対応される内容要素を取得することと、
基準時間に基づいて、フォーマット情報、及び取得された内容要素に従い、スクリーンオフ表示機能によって通知メッセージを表示することと、
を含む。
【００３５】
選択肢として、基準時間に基づいて、フォーマット情報、及び取得された内容要素に従い、スクリーンオフ表示機能によって通知メッセージを表示することは、
基準時間に基づいて、通知メッセージの受信時間を確定することと、
フォーマット情報、及び取得された内容要素に従い、スクリーンオフ表示機能によって通知メッセージのメッセージ内容、及び通知メッセージの受信時間を表示することと、
を含む。
【００３６】
上記の技術案の各選択肢は、全て任意に結合されて本発明の選択可能な実施例を実現することができ、本発明の実施例においてそれ以上述べない。
【００３７】
通常、スマート端末はスクリーンオフ表示機能によって表示される情報内容は下記の２種類を含み、一つは時間で、もう一つは通知メッセージである。ここで、スマート端末は、時間だけを表示しても良く、通知メッセージだけを表示しても良く、さらに時間と通知メッセージを同時に表示しても良い。表示する情報内容の種類の相違によって、スマート端末は、異なるスクリーンオフ表示方法を通して表示することができ、以下において、図面を結合して、スクリーンオフでの時間表示、及びスクリーンオフでの通知メッセージ表示の方法をそれぞれ詳しく説明する。
【００３８】
本発明の実施例において、まず図２を結合して、スクリーンオフでの時間表示の方法を説明する。図２は、例示的な実施例によって示されているスクリーンオフ表示方法のフローチャートであり、図２に示すように、該方法はステップ２０１〜２０４を含む。
【００３９】
ステップ２０１において、スクリーンオフ表示機能によって表示する必要のある情報内容のフォーマット情報、及びスクリーンオフ表示に必要とする内容要素を取得する。
【００４０】
通常、全てのスマート端末は、ＡＰ、及びディスプレイドライバ集積回路（ＤＤＩＣ：Ｄｉｓｐｌａｙ  Ｄｒｉｖｅｒ  Ｉｎｔｅｇｒａｔｅｄ  Ｃｉｒｃｕｉｔ）を含み、当然、タッチセンサと表示機能を一体に集成したスマート端末には、ＤＤＩＣを含まず、タッチディスプレイドライバ集積（ＴＤＤＩ：Ｔｏｕｃｈ  Ｄｉｓｐｌａｙ  Ｄｒｉｖｅｒ  Ｉｎｔｅｇｒａｔｉｏｎ）を含むことになっている。先行技術において、スクリーンオフの状態で、スクリーンオフ表示をする時に、スマート端末のＡＰはシステム時間を取得することができ、該システム時間は現在の正確な時間であり、その後、スマート端末のＡＰは取得したシステム時間に基づいてリアルタイム的に描画する。スマート端末は、１分おきの時間変更には、ＡＰを一回ウェイクアップして、システム時間の取得と描画をする必要があり、そのため、スマート端末の消費電力が大きい。
【００４１】
本発明の実施例において、スマート端末は、スクリーンオフ表示機能が起動されていることを検出した後に、スクリーンオフ表示機能によって表示させる必要のある情報内容のフォーマット情報と、スクリーンオフ表示に必要とする内容要素とをＤＤＩＣ又はＴＤＤＩに記憶する。これによって、スマート端末は、スクリーンがオフになった後、スクリーンオフ表示の時に、ＤＤＩＣ又はＴＤＤＩに記憶されているフォーマット情報と内容要素に基づいて、直接に対応される情報内容を表示することができ、再びＡＰをウェイクアップしてリアルタイム的に描画する必要がなくなり、スマート端末の消費電力を減少することができるようになる。本発明の実施例において、ＤＤＩＣを通してスクリーンオフ表示の実現を説明して行こう。スマート端末内にＴＤＤＩを含む場合、ＴＤＤＩによってスクリーンオフ表示を行う方法が、ＤＤＩＣによってスクリーンオフ表示を行う方法と同じであり、本発明の実施例においては、それに対して個別に説明しないようにする。
【００４２】
なお、スクリーンオフ表示機能によって表示させる必要のある情報内容のフォーマット情報は、ユーザがスマート端末を通して自分で設定したものであっても良く、また、スクリーンオフ表示機能によって表示させる必要のある情報内容も、ユーザより選択しても良い。それに対してスマート端末は、ユーザより選択された情報内容を基づいて、スクリーンオフ表示に必要とする内容要素を確定する。当然、該フォーマット情報及びスクリーンオフ表示に必要とする内容要素は、スマート端末のデフォルト的なものであっても良い。
【００４３】
例えば、ユーザがスクリーンオフ表示機能によって時間だけを表示しようとしたら、このような場合において、ユーザは、スマート端末によって、時間表示、及び時間表示時のフォーマット情報だけを選択しても良い。その後、スマート端末は、ユーザより選択された、表示する必要のある情報内容とフォーマット情報に基づいて、選択されたフォーマット情報で時間を表示する時に必要とする内容要素を確定し、該フォーマット情報、及び確定された内容要素をスマート端末のＤＤＩＣに記憶する。
【００４４】
さらに、スクリーンオフ表示に必要とする内容要素は、０−９、ａ−ｚ、Ａ−Ｚ、午前午後、曜日、年、月、日などを含み、このような内容要素は画像データであっても良く、冗長データを除いたオリジナル画像データであっても良い。また、記憶スペースを省くために、スマート端末は、フォーマット情報とスクリーンオフ表示に必要とする内容要素を圧縮してＤＤＩＣに記憶することも可能である。
【００４５】
ステップ２０２において、スクリーンがオフになった時にアプリケーションプロセッサＡＰより取得したシステム時間を意味している基準時間を取得する。
【００４６】
スマート端末のＤＤＩＣは、フォーマット情報とスクリーンオフ表示に必要とする内容要素を取得した後に、ＤＤＩＣがスクリーンオフ表示の時に、システム時間を取得することができないため、スマート端末はスクリーンがオフになったことを検出した場合、スマート端末のＡＰは、システム時間を取得し、取得されたシステム時間をスマート端末のＤＤＩＣに出力することが可能である。スマート端末のＤＤＩＣは、該システム時間を基準時間とし、後続のステップで説明される方法によって、対応される情報内容を表示する。
【００４７】
なお、スマート端末のＡＰよりＤＤＩＣに出力される基準時間は、時分秒を含むことができるだけではなく、午前又は午後の時間情報、及び年月日のような日付情報なども含むことが可能である。
【００４８】
ステップ２０３において、基準時間に基づいて、フォーマット情報、及びスクリーンオフ表示に必要とする内容要素に従い、スクリーンオフ表示機能によって情報内容を表示する。
【００４９】
スマート端末のＤＤＩＣがフォーマット情報、内容要素、及び基準時間を取得した後に、スマート端末のＤＤＩＣは、取得された基準時間から計時を開始し、時間経過値を得ることができる。該時間経過値は、基準時間を取得してから経過した時間の長さを示すことに用いられる。現在時刻に、スクリーンオフ表示機能によってシステム時間を表示させる必要のある時に、該基準時間を、現在時刻に計時して得られる時間経過値と加算し、現在時刻のシステム時間を得る。フォーマット情報、及びスクリーンオフ表示に必要とする内容要素に従い、スクリーンオフ表示機能によって現在時刻のシステム時間を表示する。
【００５０】
ここで、スマート端末のＤＤＩＣは、自分の水晶発振器によって計時することができる。ＤＤＩＣは、基準時間を取得してから計時を開始する。これによって、現在時刻にシステム時間を表示する必要がある場合、ＤＤＩＣは、基準時間から現在時刻までの経過した時間の長さを得ることができる。言い換えれば、基準時間から現在時刻までの時間経過値である。この時に、ＤＤＩＣは該時間経過値を基準時間と加算し、現在時刻のシステム時間を得ることができる。
【００５１】
現在時刻のシステム時間を確定した後に、ＤＤＩＣは、スクリーンオフ表示に必要とする内容要素から、現在時刻のシステム時間と対応する内容要素を取得し、取得した内容要素をフォーマット情報に従って表示することができる。
【００５２】
なお、ＤＤＩＣに、スクリーンオフ表示に必要とする内容要素、及びフォーマット情報が記憶されているため、現在時刻のシステム時間を確定した後に、ＤＤＩＣは、現在時刻のシステム時間に基づいて、記憶されている内容要素から、現在時刻のシステム時間を表示するために必要とする内容要素を直接に取得し、取得した内容要素に基づいて、記憶されているフォーマット情報に従い、現在時刻のシステム時間を表示する。これによって、スマート端末は、ＡＰをウェイクアップして現在時刻のシステム時間を取得する必要がなくなり、現在時刻のシステム時間に基づいてリアルタイム的に描画をする必要もなく、スマート端末の消費電力を減少することができるようになる。
【００５３】
例えば、仮に取得した基準時間が９：００である場合、ＤＤＩＣは、９：００から計時を開始し、１分後に、ＤＤＩＣが得られた時間経過値は１分であり、この時に、ＤＤＩＣが９：００に１分を加算し、現在時刻のシステム時間９：０１を得る。この時に、ＤＤＩＣは、現在時刻のシステム時間に基づいて、記憶されている内容要素から９、０、１を取得することができ、記憶されているフォーマット情報に従って、現在時刻のシステム時間を９：０１と表示する。
【００５４】
さらに、ＤＤＩＣより取得された基準時間に、午前又は午後、及び年月日などの情報も含まれている場合、ＤＤＩＣは、現在時刻のシステム時間に基づいて、現在が午前かそれとも午後かを確定することができ、対応されている、午前又は午後を示すための内容要素を取得し、年月日の日付情報に対して、ＤＤＩＣは、取得された年月日に基づいて、対応されている内容要素を直接に取得して表示することができる。当然、現在時刻のシステム時間を００：００と検出した場合、ＤＤＩＣは、取得された基準時間内の年月日の日付情報に１日を加算することができる。又は、スマート端末は、００：００を検出した時に、ＡＰを自動的にウェイクアップして一回にシステム時間を取得し、取得されたシステム時間に基づいて、基準時間を更新することもできる。
【００５５】
ステップ２０４において、事前に設定されている時間間隔毎に、一回にＡＰより取得されたシステム時間を取得し、取得されたシステム時間に基づいて、基準時間を更新し、改めて基準時間の更新時刻から計時を開始する。
【００５６】
ＤＤＩＣの自分自身の水晶発振器によって計時する場合、ＤＤＩＣの自分自身の水晶発振器の計時があまり正確ではないため、一定の誤差が存在する可能性がある。そのため、長時間でのスクリーンオフ表示において、累計された誤差によって、得られる時間経過値が正確ではない可能性があり、そして計算して得られた現在時刻のシステム時間の精度に影響を及ぼす。このような場合、誤差の累計の拡大に起因する、現在時刻のシステム時間との乖離の過大を防ぐために、事前に設定されている時間間隔毎に、スマート端末は、ＡＰをウェイクアップして一回の正確なシステム時間を取得し、取得された正確なシステム時間をＤＤＩＣと同期させ、ＤＤＩＣが更新後のシステム時間を取得してから、取得されたシステム時間に基づいて、現在の記憶されている基準時間を更新し、また、時間経過値を取得するため、更新後の基準時間から改めて計時をする。
【００５７】
ここで、事前に設定されている時間間隔の長さは、ＤＤＩＣの水晶発振器の特性に基づいて設定することができ、ＤＤＩＣの水晶発振器の計時が誤差が大きい場合、事前に設定されている該時間間隔をそれに応じて短く設定しても良く、逆の場合、事前に設定されている該時間間隔を長く設定しても良い。例えば、事前に設定されている該時間間隔は、３時間又は１０時間であっても良い。本発明の実施例ではそれを限定しない。
【００５８】
本発明の実施例において、スマート端末のＤＤＩＣは、事前に設定されている、スクリーンオフ表示機能によって表示する必要のある情報内容のフォーマット情報、スクリーンオフ表示に必要とする内容要素、及びスクリーンがオフになった時にＡＰより取得された正確な基準時間を取得することができる。これによって、スマート端末のスクリーンがオフになった後に、ＤＤＩＣは、自分自身の水晶発振器によって計時することができ、現在時刻のシステム時間を計算し、１分おきにＡＰを一回にウェイクアップしてシステム時間を取得する必要がなくなり、システムの消費電力を減少することができるようになる。ＤＤＩＣが現在時刻のシステム時間を計算して得てから、ＤＤＩＣは、取得された内容要素から表示に必要とする内容要素を確定し、取得された内容要素に基づいて、フォーマット情報に従って表示する。即ち、スマート端末は、ＡＰをウェイクアップしてリアルタイム的に描画する必要がなくなり、システムの消費電力を一層に下げることになる。
【００５９】
本発明の実施例において、上記の実施例を通して、図２を結合してスクリーンオフ表示機能によって時間を表示させる実現方式を説明した。下記において、図３を結合して、スクリーンオフ表示機能によって通知メッセージを表示する具体的な実現方法について説明する。図３は、例示的な実施例によって示されているスクリーンオフ表示方法のフローチャートであり、該方法はスマート端末に用いられ、図３に示すように、該方法は、ステップ３０１〜３０４を含む。
【００６０】
ステップ３０１において、スクリーンオフ表示機能によって表示する必要のある情報内容のフォーマット情報、及びスクリーンオフ表示に必要とする内容要素を取得する。
【００６１】
本ステップの実現方式は、上記の実施例のステップ２０１の実現方式を参照することが可能である。また、ユーザの選択した、スクリーンオフ表示機能によって表示する必要のある情報内容に通知メッセージを含む場合、スマート端末のＤＤＩＣに記憶されたスクリーンオフ表示に必要とする内容要素に、電話、ショートメール、頻繁に使うアプリケーションの通知アイコンなどの内容要素を含むことも可能である。
【００６２】
ステップ３０２において、スクリーンがオフになった時にアプリケーションプロセッサＡＰより取得したシステム時間を意味している基準時間を取得する。
【００６３】
本ステップの実現方式は、ステップ２０２内の関連の実現方式を参考しても良く、実施例において、それ以上述べない。
【００６４】
ステップ３０３において、該基準時間に基づいて、フォーマット情報、及びスクリーンオフ表示に必要とする内容要素に従い、スクリーンオフ表示機能によって情報内容を表示する。
【００６５】
フォーマット情報、内容要素及び基準時間を取得した後に、通知メッセージを受信した場合、スマート端末は、該通知メッセージの属されているメッセージタイプを確定することができ、該通知メッセージは、新しい情報を受信したことを知らせるためのメッセージを指す。スクリーンオフ表示に必要とする内容要素から、該通知メッセージの属されているメッセージタイプと対応する内容要素を取得する。前記基準時間、フォーマット情報、及び取得された内容要素に基づいて、スクリーンオフ表示機能によって該通知メッセージを表示する。ここで、新しい情報は、基準時間の後に受信された情報であっても良く、閲覧されていない情報であっても良い。即ち、該新しい情報は、スマート端末のスクリーンがオフになった後に受信された情報であっても良く、スマート端末のスクリーンがオフになる前に、既に受信され、まだ閲覧されていない情報であっても良い。
【００６６】
ここで、スクリーンオフ表示を行う時に、新しい情報を受信した場合、スマート端末は、該新しい情報に基づいて通知メッセージを生成することが可能であり、通知メッセージをＤＤＩＣに送り、ＤＤＩＣが該通知メッセージを受け取ってから、該通知メッセージの属しているメッセージタイプを確定することが可能であり、該通知メッセージの属しているメッセージタイプを確定した後に、ＤＤＩＣは、該メッセージタイプに基づいて、記憶されている内容要素から、該通知メッセージのメッセージタイプに対応される内容要素を取得することが可能であり、フォーマット情報に従って、取得された内容要素を表示する。
【００６７】
例えば、仮に現在スマート端末は新しいショートメールを受信したとした場合、スマート端末は、該新しいショートメールに基づいて、ショートメールの通知メッセージを生成することが可能であり、該通知メッセージのメッセージタイプはショートメールであり、スマート端末は、該ショートメールの通知メッセージをＤＤＩＣに送り、ＤＤＩＣは、記憶されている内容要素からショートメールの通知アイコンを取得し、フォーマット情報に従い、ショートメールの通知アイコンを表示する。
【００６８】
さらに、ＤＤＩＣが通知メッセージを受け取った場合、基準時間に基づいて、該通知メッセージの受信時間を確定することが可能であり、フォーマット情報及び取得された内容要素に従い、スクリーンオフ表示機能によって該通知メッセージのメッセージ内容、及び該通知メッセージの受信時間を表示する。
【００６９】
ＤＤＩＣが通知メッセージを受け取った場合、ＤＤＩＣは、基準時間から、通知メッセージを受け取った時刻までの時間経過値を確定することができ、該時間経過値を基準時間と加算し、該通知メッセージを受信した受信時間を得る。また、ＤＤＩＣは、受信された通知メッセージの属されているメッセージタイプに基づいて、記憶されている内容要素から、対応されている通知アイコンを取得することができる。その後、ＤＤＩＣは、該通知メッセージの受信時間、該通知メッセージのメッセージ内容、及び該通知メッセージに対応されている通知アイコンを、フォーマット情報に従って表示することができる。
【００７０】
ステップ３０４において、事前に設定されている時間間隔毎に、一回に前記ＡＰより取得されたシステム時間を取得し、取得されたシステム時間に基づいて、前記基準時間を更新し、改めて前記基準時間の更新時刻から計時を開始する。
【００７１】
本ステップの実現方式は、ステップ２０２内の相関な実現方式を参考しても良く、実施例においてそれ以上述べない。
【００７２】
本発明の実施例において、スマート端末が新しい情報を受信した後に、該新しい情報に基づいて、通知メッセージを生成することができ、その後、スマート端末は、該通知メッセージをＤＤＩＣに送ることができ、ＤＤＩＣは該通知メッセージの属されているメッセージタイプを確定し、記憶されている内容要素から、該メッセージタイプに対応されている通知アイコンを直接に取得し、その後、ＤＤＩＣは、記憶されているフォーマット情報の基づいて、該通知アイコンを表示することができる。即ち、通知メッセージをスクリーンオフ表示する時に、スマート端末のＡＰは、通知メッセージに基づいてリアルタイム的に描画する必要がなくなり、通知メッセージの属されているメッセージタイプに基づいて、対応される内容要素を取得して表示することができ、消費電力を減少する。
【００７３】
なお、スマート端末は、スクリーンオフ表示を行う時に、時間だけを表示しても良く、通知メッセージだけを表示することも可能であり、当然、時間と通知メッセージを同時に表示することも可能である。時間と通知メッセージを同時に表示するとした場合、上記の時間表示と通知メッセージ表示の実施例に記載されている実現方式を同時に参考することが可能であり、関連のステップを合わせて、時間と通知メッセージの同時表示を実現する。
【００７４】
本発明の実施例に提供されている方法を説明した後に、これから、本発明の実施例に提供されている装置を説明する。
【００７５】
図４Ａは、例示的な実施例によって示されているスクリーンオフ表示装置のブロック図である。図４Ａを参照すると、該装置は、第１取得モジュール４０１、第２取得モジュール４０２、及び表示モジュール４０３を含む。
【００７６】
第１取得モジュール４０１は、スクリーンオフ表示機能によって表示する必要のある情報内容のフォーマット情報、及びスクリーンオフ表示に必要とする内容要素を取得することに用いられる。
【００７７】
第２取得モジュール４０２は、基準時間を取得することに用いられ、該基準時間はスクリーンがオフになった時にＡＰより取得したシステム時間である。
【００７８】
表示モジュール４０３は、基準時間に基づいて、フォーマット情報、及びスクリーンオフ表示に必要とする内容要素に従い、スクリーンオフ表示機能によって情報内容を表示することに用いられる。
【００７９】
選択肢として、図４Ｂを参照すると、表示モジュール４０３は、
基準時間を取得してから計時を開始し、基準時間を取得してから経過した時間の長さを示すための時間経過値を得ることに用いられる計時サブモジュール４０３１と、
現在時刻に、スクリーンオフ表示機能によってシステム時間を表示する必要のある時に、基準時間を、現在時刻に計時して得られる時間経過値と加算し、現在時刻のシステム時間を得ることに用いられる計算サブモジュール４０３２と、
フォーマット情報、及びスクリーンオフ表示に必要とする内容要素に従い、スクリーンオフ表示機能によって現在時刻のシステム時間を表示することに用いられる第１表示サブモジュール４０３３と、
を含む。
【００８０】
選択肢として、第１表示サブモジュール４０３３は、
スクリーンオフ表示に必要とする内容要素から、現在時刻のシステム時間に対応される内容要素を取得し、
取得された内容要素をフォーマット情報に従って表示する、
ことに用いられる。
【００８１】
選択肢として、図４Ｃを参照すると、該装置４００はさらに、
事前に設定されている時間間隔毎に、一回にＡＰより取得されたシステム時間を取得することに用いられる第３取得モジュール４０４と、
取得されたシステム時間に基づいて、基準時間を更新し、改めて基準時間の更新時刻から計時を開始することに用いられる更新モジュール４０５と、
を含む。
【００８２】
選択肢として、図４Ｄを参照すると、表示モジュール４０３は、
新しい情報を受信したことを知らせるための通知メッセージを受信した時に、通知メッセージの属されているメッセージタイプを確定することに用いられる確定サブモジュール４０３４と、
スクリーンオフ表示に必要とする内容要素から、通知メッセージの属されているメッセージタイプに対応される内容要素を取得することに用いられる取得サブモジュール４０３５と、
基準時間に基づいて、フォーマット情報、及び取得された内容要素に従い、スクリーンオフ表示機能によって通知メッセージを表示することに用いられる第２表示サブモジュール４０３６と、
を含む。
【００８３】
選択肢として、第２表示サブモジュール４０３６は、
基準時間に基づいて、通知メッセージの受信時間を確定し、
フォーマット情報、及び取得された内容要素に従い、スクリーンオフ表示機能によって通知メッセージのメッセージ内容、及び通知メッセージの受信時間を表示する、
ことに用いられる。
【００８４】
本発明の実施例において、スマート端末のＤＤＩＣは、事前に設定されているスクリーンオフ表示機能によって表示する情報内容のフォーマット情報、スクリーンオフ表示に必要とする内容要素、及びスクリーンがオフになった時にＡＰより取得した正確な基準時間を取得することができる。これによって、スマート端末のスクリーンがオフになった後に、ＤＤＩＣは、自分自身の水晶発振器によって計時することができ、現在時刻のシステム時間を計算し、１分おきにＡＰを一回にウェイクアップしてシステム時間を取得する必要がなくなり、システムの消費電力を減少することができるようになる。ＤＤＩＣが現在時刻のシステム時間を計算して得てから、ＤＤＩＣは、取得された内容要素から、表示に必要とする内容要素を確定し、取得された内容要素に基づいて、フォーマット情報に従って表示する。即ち、スマート端末は、ＡＰをウェイクアップしてリアルタイム的に描画する必要がなくなり、システムの消費電力を一層に下げることになる。
【００８５】
また、本発明の実施例において、スマート端末が新しい情報を受信したとした場合、スマート端末は、該新しい情報に基づいて、通知メッセージを生成することができ、その後、スマート端末は、該通知メッセージをＤＤＩＣに送ることができ、ＤＤＩＣは該通知メッセージの属されているメッセージタイプを確定し、記憶されている内容要素から、該メッセージタイプに対応されている通知アイコンを直接に取得し、その後、ＤＤＩＣは、記憶されているフォーマット情報の基づいて、該通知アイコンを表示することができる。即ち、通知メッセージをスクリーンオフ表示する時に、スマート端末のＡＰは、通知メッセージに基づいてリアルタイム的に描画する必要がなくなり、通知メッセージの属されているメッセージタイプに基づいて、対応される内容要素を取得して表示することができ、消費電力を減少する。
【００８６】
上記実施例内の装置について、その中の各モジュールの実行される操作の具体的な方式は、既に関連の該方法の実施例において詳しく説明しており、ここで詳しく説明しない。
【００８７】
図５は、例示的な実施例によって示されているスクリーンオフ表示装置のブロック図である。例えば、装置５００は、携帯電話、コンピュータ、デジタル放送端末、メッセージ送受信装置、ゲームコントローラ、タブレット装置、医療機器、トレーニング設備、携帯情報端末等であっても良い。
【００８８】
図５を参照すると、装置５００は、下記の一つ又は複数のコンポーネントを含むことが可能である。
【００８９】
処理コンポーネント５０２は、通常、装置５００の全体操作、例えば、表示、電話コール、データ通信、カメラ操作及び記録操作と関係する操作を制御する。処理コンポーネント５０２は、上記の全部又は一部のステップを完成させるように、一つ又は複数のプロセッサ５２０を含んで命令を実行することが可能である。それ以外、処理コンポーネント５０２は、処理コンポーネント５０２とその他のコンポーネントとのインタラクションのために、一つ又は複数のモジュールを含むことが可能である。例えば、マルチメディアコンポーネント５０８と処理コンポーネント５０２とのインタラクションのために、処理コンポーネント５０２はマルチメディアモジュールを含んでも良い。
【００９０】
記憶装置５０４は、装置５００の操作をサポートするために各種タイプのデータを記憶するように構成される。これらのデータは、例示的に、装置５００で操作するためのあらゆるアプリケーション又は方法の命令、連絡先データ、電話帳データ、メッセージ、画像、ビデオなどを含む。記憶装置５０４は、任意の揮発性記憶装置、不揮発性記憶装置、又はそれらの組み合わせで実現することが可能であり、例えば、静的なランダムアクセスメモリ（ＳＲＡＭ）、電気的消去可能、プログラム可能な読み取り専用な記憶装置（ＥＥＰＲＯＭ）、消去可能、プログラム可能な読み取り専用な記憶装置（ＥＰＲＯＭ）、プログラム可能な読み取り専用な記憶装置（ＰＲＯＭ）、読み取り専用な記憶装置（ＲＯＭ）、磁気記憶装置、フラッシュ記憶装置、磁気ディスク又は光ディスクである。
【００９１】
電源コンポーネント５０６は、装置５００の各種のコンポーネントに電力を提供する。電源コンポーネント５０６は、電源管理システム、一つ又は複数の電源、及び装置５００への電力の生成、管理及び割り当てと関連のその他のコンポーネントを含むことが可能である。
【００９２】
マルチメディアコンポーネント５０８は、前記装置５００とユーザとの間における出力インターフェースを提供するスクリーンを含む。幾つかの実施例において、スクリーンは、液晶ディスプレー（ＬＣＤ）とタッチパネル（ＴＰ）を含むことができる。スクリーンがタッチパネルを含む場合、ユーザからの入力信号を受けるために、スクリーンはタッチスクリーンとして実現することが可能である。タッチパネルは、タッチ、スライド及びタッチパネル上での手振りを感知するために、１個又は複数のタッチセンサを含む。前記タッチセンサは、タッチ或いはスライドの動作の境界を感知することができるだけではなく、前記タッチ或いはスライドの操作に関連する持続時間と圧力も感知する。幾つかの実施例において、マルチメディアコンポーネント５０８は、一つの前置撮影カメラ及び／又は後置撮影カメラを含む。装置５００が操作モード、例えば、撮影モード又はビデオモードである場合、前置撮影カメラ及び／又は後置撮影カメラは、外部マルチメディアのデータを受け取ることができる。個々の前置撮影カメラ及び後置撮影カメラは、一つの固定の光学レンズシステムであっても良く、又はフォーカルレングス及び光学可変焦点の能力を備える。
【００９３】
オーディオコンポーネント５１０は、オーディオ信号を入力及び／又は出力するように構成される。例えば、オーディオコンポーネント５１０は、一つのマイク（ＭＩＣ）を含み、装置５００が操作モードである場合、例えばコールモード、記録モード及び音声認識モードである場合、マイクは、外部オーディオ信号を受け取るように構成される。受け取られたオーディオ信号は、さらに記憶装置５０４に記憶され、又は通信コンポーネント５１６を介して送信することができる。幾つかの実施例において、オーディオコンポーネント５１０はさらに、一つのスピーカーを含み、オーディオ信号を出力するように用いられる。
【００９４】
Ｉ／Ｏインターフェース５１２は、処理コンポーネント５０２と周辺インターフェースモジュールとの間に、インターフェースを提供し、上記の周辺インターフェースモジュールは、キーボード、クリックホイール、ボタンなどであっても良い。これらのボタンは、ホームページのボタン、ボリュームボタン、起動ボタン及びロックボタンを含むことが可能であるが、それらを限定しない。
【００９５】
センサコンポーネント５１４は、１個又は複数のセンサを含み、装置５００に各種の状態評価を提供するために用いられる。例えば、センサコンポーネント５１４は、装置５００の開／閉状態、コンポーネントの相対定位を検出することができ、例えば、前記コンポーネントが装置５００のディスプレイとキーボードである。センサコンポーネント５１４はさらに、装置５００又は装置５００の一つのコンポーネントの位置変化、ユーザと装置５００とのタッチがあるか否か、装置５００の位置又は加速／減速、及び装置５００の温度変化も検出することができる。センサコンポーネント５１４は、近接センサを含むことができ、いずれの物理的な接触をせずに、周囲の物体の存在を検出するために用いられるように構成される。センサコンポーネント５１４はさらに光センサ、例えばＣＭＯＳ又はＣＣＤ画像センサを含むことができ、撮像アプリケーションで使用することに用いられる。幾つかの実施例において、該センサコンポーネント５１４はさらに、加速度センサ、ジャイロセンサ、磁気センサ、圧力センサ又は温度センサを含むことが可能である。
【００９６】
通信コンポーネント５１６は、装置５００とその他のデバイスとの間に有線又は無線方式の通信を有利にさせるように構成される。装置５００は、通信規格に基づく無線ネットワーク、例えばＷｉＦｉ、２Ｇ又は３Ｇ、或いはそれらの組み合わせにアクセスすることができる。一つの例示的な実施例において、通信コンポーネント５１６は、ブロードキャストチャネルを介して、外部ブロードキャスト管理システムからのブロードキャスト信号を受信し、又は相関情報をブロードキャストする。一つの例示的な実施例において、前記通信コンポーネント５１６はさらに、近距離無線通信（ＮＦＣ）モジュールを含み、短距離通信を促進させる。例えば、ＮＦＣモジュールは、無線周波数識別（ＲＦＩＤ）技術、赤外線データ通信（ＩｒＤＡ）技術、超広帯域無線（ＵＷＢ）技術、ブルートゥース（登録商標）（ＢＴ）技術及びその他の技術に基づいて実現されることが可能である。
【００９７】
例示的な実施例において、装置５００は、１個又は複数のアプリケーション専用集積回路（ＡＳＩＣ）、デジタルシグナルプロセッサ（ＤＳＰ）、デジタル信号処理デバイス（ＤＳＰＤ）、プログラム可能なロジックデバイス（ＰＬＤ）、フィールドプログラマブルゲートアレイ（ＦＰＧＡ）、コントローラ、マイクロコントローラ、マイクロプロセッサー又はその他の回路によって実現されることが可能であり、上記の図２と図３に示されている実施例によって提供される方法を実行することに用いられる。
【００９８】
例示的な実施例において、さらに、命令を含む非一時的コンピュータ読み取り可能な記憶媒体、例えば、命令を含む記憶装置５０４を提供し、上記命令は、装置５００のプロセッサ５２０によって実行され、上記方法を完成させる。例えば、前記非一時的コンピュータ読み取り可能記憶媒体は、ＲＯＭ、ランダムアクセスメモリ（ＲＡＭ）、ＣＤ−ＲＯＭ、磁気テープ、フロッピーディスク及び光学データ記憶装置などであっても良い。
【００９９】
非一時的コンピュータ読み取り可能な記憶媒体であって、前記記憶媒体内の命令はスマート端末のプロセッサによって実行される場合、スマート端末がスクリーンオフ表示方法を実行するすることができるようにし、前記方法は、
スクリーンオフ表示機能によって表示する必要のある情報内容のフォーマット情報、及びスクリーンオフ表示に必要とする内容要素を取得することと、
スクリーンがオフになった時にＡＰより取得したシステム時間を意味している基準時間を取得すると、
基準時間に基づいて、フォーマット情報、及びスクリーンオフ表示に必要とする内容要素に従い、スクリーンオフ表示機能によって情報内容を表示することと、
を含む。
【０１００】
選択肢として、基準時間に基づいて、フォーマット情報、及びスクリーンオフ表示に必要とする内容要素に従い、スクリーンオフ表示機能によって情報内容を表示することは、
基準時間を取得してから計時を開始し、基準時間を取得してから経過した時間の長さを示すための時間経過値を得ることと、
現在時刻に、スクリーンオフ表示機能によってシステム時間を表示する必要のある時に、基準時間を、現在時刻に計時して得られる時間経過値と加算し、現在時刻のシステム時間を得ることと、
フォーマット情報、及びスクリーンオフ表示に必要とする内容要素に従い、スクリーンオフ表示機能によって現在時刻のシステム時間を表示することと、
を含む。
【０１０１】
選択肢として、フォーマット情報、及びスクリーンオフ表示に必要とする内容要素に従い、スクリーンオフ表示機能によって現在時刻のシステム時間を表示することは、
スクリーンオフ表示に必要とする内容要素から、現在時刻のシステム時間に対応される内容要素を取得することと、
取得された内容要素をフォーマット情報に従って表示することと、
を含む。
【０１０２】
選択肢として、基準時間を取得した後に、
事前に設定されている時間間隔毎に、一回にＡＰより取得されたシステム時間を取得することと、
取得されたシステム時間に基づいて、基準時間を更新し、改めて基準時間の更新時刻から計時を開始することと、
を含む。
【０１０３】
選択肢として、基準時間に基づいて、フォーマット情報、及びスクリーンオフ表示に必要とする内容要素に従い、スクリーンオフ表示機能によって情報内容を表示することは、
新しい情報を受信したことを知らせるための通知メッセージを受信した時に、通知メッセージの属されているメッセージタイプを確定することと、
スクリーンオフ表示に必要とする内容要素から、通知メッセージの属されているメッセージタイプに対応される内容要素を取得することと、
基準時間に基づいて、フォーマット情報、及び取得された内容要素に従い、スクリーンオフ表示機能によって通知メッセージを表示することと、
を含む。
【０１０４】
選択肢として、基準時間に基づいて、フォーマット情報、及び取得された内容要素に従い、スクリーンオフ表示機能によって通知メッセージを表示することは、
基準時間に基づいて、通知メッセージの受信時間を確定することと、
フォーマット情報、及び取得された内容要素に従い、スクリーンオフ表示機能によって通知メッセージのメッセージ内容、及び通知メッセージの受信時間を表示することと、
を含む。
【０１０５】
本発明の実施例において、スマート端末のＤＤＩＣは、事前に設定されているスクリーンオフ表示機能によって表示する情報内容のフォーマット情報、スクリーンオフ表示に必要とする内容要素、及びスクリーンがオフになった時にＡＰより取得した正確な基準時間を取得することができる。これによって、スマート端末のスクリーンがオフになった後に、ＤＤＩＣは、自分自身の水晶発振器によって計時することができ、現在時刻のシステム時間を計算し、１分おきにＡＰを一回にウェイクアップしてシステム時間を取得する必要がなくなり、システムの消費電力を減少することができるようになる。ＤＤＩＣが現在時刻のシステム時間を計算して得てから、ＤＤＩＣは、取得された内容要素から、表示に必要とする内容要素を確定し、取得された内容要素に基づいて、フォーマット情報に従って表示する。即ち、スマート端末は、ＡＰをウェイクアップしてリアルタイム的に描画する必要がなくなり、システムの消費電力を一層に下げることになる。
【０１０６】
当業者は、明細書を考慮し、及びここで開示されている発明を実施した後、本発明のその他の実施形態を容易に想到し得ることになる。本出願は、本発明のいずれの変形、用途又は適切な変化をカバーすることを意図し、これらの変形、用途、又は適切な変化は、本発明の一般性の原理に従い、そして本発明の開示されていない本技術分野における技術常識又は慣用技術も含む。明細書と実施例は、単なる例示的なものと見なされ、本発明の範囲と精神は特許請求範囲によって示される。
【０１０７】
なお、本発明は、上記に記載されて、図面に示されている明確な構成に限らず、その範囲を逸脱せず各種の改修と変形を行うことができる。本発明の範囲は、特許請求範囲のみによって制限される。
【図１】
2019522249.tif 000003
【図２】
2019522249.tif 000004
【図３】
2019522249.tif 000005
【図４Ａ】
2019522249.tif 000006
【図４Ｂ】
2019522249.tif 000007
【図４Ｃ】
2019522249.tif 000008
【図４Ｄ】
2019522249.tif 000009
【図５】
2019522249.tif 000010
【国際調査報告】
2019522249.tif 000011
2019522249.tif 000012
2019522249.tif 000013
2019522249.tif 000014